(57)【要約】【課題】接続される機器との整合を容易に図れるとともに、面倒な作業を要することなく最適な表示画像を表示することのできる画像表示装置および画像表示システムを提供する。【解決手段】これまでホームビデオカメラ等の撮像装置で撮影した映像をＴＶ装置等の画像表示装置に表示する場合は、画像表示装置に接続された撮像装置を動作させることにより再生される撮影データをそのまま表示しているので、カラーバランスや画質が適切化されておらず、その結果、画像表示装置で適切な画像が表示されない状況が生じていたが、撮像装置と画像表示装置との特性や撮影状態を考慮し、接続機器に応じたダイナミックレンジやコントラスト比等の映像設定についての情報をサーバ４０から入手して最適化を施す画質最適化処理部２００を有することで、高画質化された映像を視聴することができる。【選択図】図１
2007178831.tif 000002
【特許請求の範囲】
【請求項１】
接続される撮像装置を検出する接続機器認識部を含み、前記撮像装置との整合を図るための情報を外部より取得する情報取得部を備えた画質最適化処理部と、
前記画質最適化処理部から前記整合を図るための情報を参照して前記撮像装置より入力する映像信号を最適化して表示部に画面表示させる制御部とを有することを特徴とする画像表示装置。
【請求項２】
接続される撮像装置を検出する接続機器認識部を含み、前記撮像装置から出力される映像信号についての整合を図るための情報を外部より取得する情報取得部と、前記映像信号の撮影状況に応じた付帯情報を外部より取得する付帯情報取得部を備えた画質最適化処理部と、
前記画質最適化処理部から前記整合を図るための情報、および前記付帯情報を参照して前記撮像装置より入力する映像信号を最適化して表示部に画面表示させる制御部とを有することを特徴とする画像表示装置。
【請求項３】
接続される撮像装置を検出する接続機器認識部を含み、前記撮像装置から出力される映像信号についての整合を図るための情報をネットワークを介して接続されたサーバより取得する情報取得部と、前記映像信号の撮影状況に応じた付帯情報を前記サーバより取得する付帯情報取得部を備えた画質最適化処理部と、
前記画質最適化処理部から前記整合を図るための情報、および前記付帯情報を参照して前記撮像装置より入力する映像信号を最適化して表示部に画面表示させる制御部とを有することを特徴とする画像表示装置。
【請求項４】
前記撮像装置はビデオカメラであり、前記画像表示装置がＴＶ装置である請求項１から３のいずれか１項に記載の画像表示装置。
【請求項５】
撮像素子で撮像した映像に基づく映像信号を外部出力可能な撮像装置と、
前記撮像装置の接続を検出する接続機器認識部を含み、前記撮像装置から出力される前記映像信号についての整合を図るための情報をネットワークを介して接続されたサーバより取得する情報取得部と、前記映像信号の撮影状況に応じた付帯情報を前記サーバより取得する付帯情報取得部を備えた画質最適化処理部と、
前記画質最適化処理部から前記整合を図るための情報、および前記付帯情報を参照して前記撮像装置より入力する映像信号を最適化して表示部に画面表示させる制御部とを有する画像表示装置とを含むことを特徴とする画像表示システム。
【発明の詳細な説明】
【技術分野】
【０００１】
本発明は、テレビカメラ等の撮像装置と接続されて撮像装置から出力される映像信号を画像表示させる画像表示装置および画像表示システムに関し、特に、接続される機器との整合を容易に図れるとともに、面倒な作業を要することなく最適な表示画像を表示することのできる画像表示装置および画像表示システムに関する。
【背景技術】
【０００２】
近年、高画素数の固体撮像素子を搭載し、高繊細な動画を撮影することのできる小型のテレビカメラ等の撮像装置が提案されている。また、バッテリーの高性能化に伴って野外でも長時間録画が可能になりつつあり、加えて低価格化も進んでいることから、レジャーにおける撮影や家族の成長記録を撮影するといった用途の需要拡大が見込まれている。
【０００３】
また、このような撮像装置の活用として、撮影した動画をパーソナルコンピュータで編集し、必要に応じてＤＶＤ（Digital Versatile Disk）に記録して保存したり、ＴＶ装置に接続して動画を大画面で観賞することが可能である。但し、外部モニタ等の表示装置に映像を表示させる場合、撮像装置で再生される動画の再生信号が表示装置での表示に適切であるとは限らないことから、高画質な映像を出力させるには表示側の適切な設定が必要である。
【０００４】
画像データを表示側の能力に応じて最適化するものとして、表示手段の表示能力に応じて画像データの容量を最適化するようにしたものがある（例えば、特許文献１参照。）。
【特許文献１】特開２００４−２７４２４５号公報
【発明の開示】
【発明が解決しようとする課題】
【０００５】
しかし、特許文献１に記載された発明によると、容量の調整に基づいて表示に対して最適化を図るものであるため、画像の明暗、カラーバランス、彩度等の要因を的確に調整することができないという問題がある。また、上記した要因について調整を行うにしても、調整する者の主観的な調整によるところが大であるので、真に最適な状態であるかを判断することができない。
【０００６】
従って、本発明の目的は、接続される機器との整合を容易に図れるとともに、面倒な作業を要することなく最適な表示画像を表示することのできる画像表示装置および画像表示システムを提供することにある。
【課題を解決するための手段】
【０００７】
本発明は、上記の目的を達成するため、接続される撮像装置を検出する接続機器認識部を含み、前記撮像装置との整合を図るための情報を外部より取得する情報取得部を備えた画質最適化処理部と、前記画質最適化処理部から前記整合を図るための情報を参照して前記撮像装置より入力する映像信号を最適化して表示部に画面表示させる制御部とを有する画像表示装置を提供する。
【０００８】
また、本発明は、上記の目的を達成するため、接続される撮像装置を検出する接続機器認識部を含み、前記撮像装置から出力される映像信号についての整合を図るための情報を外部より取得する情報取得部と、前記映像信号の撮影状況に応じた付帯情報を外部より取得する付帯情報取得部を備えた画質最適化処理部と、前記画質最適化処理部から前記整合を図るための情報、および前記付帯情報を参照して前記撮像装置より入力する映像信号を最適化して表示部に画面表示させる制御部とを有する画像表示装置を提供する。
【０００９】
また、本発明は、上記の目的を達成するため、接続される撮像装置を検出する接続機器認識部を含み、前記撮像装置から出力される映像信号についての整合を図るための情報をネットワークを介して接続されたサーバより取得する情報取得部と、前記映像信号の撮影状況に応じた付帯情報を前記サーバより取得する付帯情報取得部を備えた画質最適化処理部と、前記画質最適化処理部から前記整合を図るための情報、および前記付帯情報を参照して前記撮像装置より入力する映像信号を最適化して表示部に画面表示させる制御部とを有する画像表示装置を提供する。
【００１０】
また、本発明は、上記の目的を達成するため、撮像素子で撮像した映像に基づく映像信号を外部出力可能な撮像装置と、前記撮像装置の接続を検出する接続機器認識部を含み、前記撮像装置から出力される前記映像信号についての整合を図るための情報をネットワークを介して接続されたサーバより取得する情報取得部と、前記映像信号の撮影状況に応じた付帯情報を前記サーバより取得する付帯情報取得部を備えた画質最適化処理部と、
前記画質最適化処理部から前記整合を図るための情報、および前記付帯情報を参照して前記撮像装置より入力する映像信号を最適化して表示部に画面表示させる制御部とを有する画像表示装置とを含む画像表示システムを提供する。
【発明の効果】
【００１１】
本発明によれば、接続される機器との整合を容易に図れるとともに、面倒な作業を要することなく最適な表示画像を表示することができる。
【発明を実施するための最良の形態】
【００１２】
（発明の実施の形態）
図１は、本発明の発明の実施の形態に係る画像表示システムの概略構成図である。
【００１３】
（画像表示システムの構成）
この画像表示システムは、撮像装置１０と、画像表示装置２０と、ネットワーク３０と、サーバ４０とで構成されており、撮像装置１０と画像表示装置２０とは接続ケーブル２で接続されて、撮像装置１０から画像表示装置２０に対して映像信号および機器情報を出力する。
【００１４】
また、画像表示装置２０は、ネットワークインターフェース部を介してＬＡＮ（Local Area Network）３に接続されるとともに、インターネット等のネットワーク３０に接続されて、撮像装置１０についての機器情報をネットワーク３０上に設けられるサーバ４０から入手し、そのことにより映像設定値の最適化を図る画質最適化処理部２００を有する。
【００１５】
画質最適化処理部２００は、画像表示装置２０に接続された機器を認識する接続機器認識部２０１と、認識された機器についてサーバ４０から取得した情報を格納する情報取得部２０２と、認識された機器についてサーバ４０から取得した天気情報等の付帯情報を格納する付帯情報取得部２０３と、付帯情報を入力するユーザインターフェースを画像表示装置２０に画面表示させる付帯情報入力部２０４とを有する。
【００１６】
図２は、本実施の形態に係る画像表示装置のブロック図である。
【００１７】
この画像表示装置２０は、図１で説明した画質最適化処理部２００を含むとともに、表示部として液晶表示部２１０を表示制御部２１１で駆動する液晶表示部搭載型のＴＶ装置であり、入力側インターフェースである画像信号入力部２１２と、データ一時保存用のメモリ２１３と、アンテナ２１４Ａを介して放送波を受信するチューナ２１４と、各部の動作を制御する制御部２１５と、映像信号をデコード処理する画像信号処理部２１７と、デコードされた映像信号を表示用信号にエンコードして出力する画像信号出力部２１８と、音声信号をデコード処理する音声信号処理部２１９と、デコードされた音声信号を出力する音声信号出力部２２０と、図示しないリモートコントローラの操作に基づいて送信された光を受光する受光部２２１と、画像表示装置２０をネットワークに接続するためのネットワークインターフェース部２２２とを内部バス２２３で接続して構成されている。
【００１８】
画像信号入力部２１２は、図示しないビデオ入力端子と接続されており、ビデオカメラ等の接続機器の接続を一定時間周期で監視している。
【００１９】
図３は、画質最適化処理部に格納された情報を示す説明図である。
【００２０】
ここでは画像表示装置２０に接続された機器についての情報について示し、現在接続されている接続機器が接続機器認識部２０１によって認識された機種名ＸＸＹＺＺ−００１−Ａのビデオカメラであり、このビデオカメラについてガンマデータ、ダイナミックレンジ、およびコントラスト比の設定値がサーバ４０から取得機器情報として取得され、付帯情報については、サーバ４０から取得された付帯情報（取得付帯情報）として天気情報（ここでは晴天）、ユーザの操作に基づき付帯情報入力部２０４によって入力された付帯情報（入力付帯情報）としてロケーション（ここでは公園）が含まれている。
【００２１】
このように付帯情報がある場合、例えば、映像信号が記録された日時の天気情報がある場合には、天気に応じたホワイトバランスや露出等のパラメータを加味して最適化処理を行う。
【００２２】
取得機器情報については、画像表示装置２０に接続された機器によっては情報が提供されていない場合もあり、その場合には提供されている情報についてのみ有効となる。
【００２３】
なお、図示した取得機器情報は一例であり、接続機器によってその内容は異なるが、画像表示装置２０において調整可能な項目が取得機器情報として表示される。
【００２４】
入力付帯情報は、画像表示装置２０のリモートコントローラを操作してメニュー画面から付帯情報入力を選択することにより、液晶表示部２１０の表示画面上に文字入力画面が表示され、ユーザが入力する文字を選択することによって所望の情報を入力する。
【００２５】
なお、予め情報についてテンプレート（家族、友人、ペット、その他等）を登録しておき、付帯情報入力時にテンプレートから該当するものを選択して入力するようにしても良い。
【００２６】
図４は、本実施の形態に係る画像表示システムの動作を示すフローチャートである。以下に、本実施の形態の動作について説明する。
【００２７】
まず、画像表示装置２０は、接続された機器があるかどうかを一定時間間隔で確認する（Ｓ１）。接続された機器が無い場合（Ｓ１：Ｎｏ）は、接続された機器を発見するまでループする。機器が接続された場合（Ｓ１：Ｙｅｓ）、接続された機器についての取得機器情報が存在するかネットワーク３０を介してサーバ４０に問い合わせを行う（Ｓ２）。サーバ４０は画像表示装置２０からの問い合わせに対し、情報の有無に関わらず応答を返す（Ｓ３）。ここで、サーバ４０から取得機器情報を入手した場合は（Ｓ３：Ｙｅｓ）、該当する取得機器情報が画質最適化処理部２００の情報取得部２０２に保持される（Ｓ４）。次に、画像表示装置２０は、液晶表示部２１０上に日付や撮影場所等の付帯情報を入力するか否かのアラートを表示する。ユーザーが付帯情報について入力するには、リモートコントローラを操作して入力したい付帯情報の項目を入力し（Ｓ５）、この付帯情報を元に天気等の撮影情報についてサーバ４０に問い合わせを行う（Ｓ６）。サーバ４０から付帯情報を入手できたときは（Ｓ７：Ｙｅｓ）、画質最適化処理部２００の付帯情報取得部２０３に保持される（Ｓ８）。この後、画質最適化処理部２００の取得機器情報と付帯情報を参照し、制御部２１５は画像信号処理部２１７と画像信号出力部２１８のパラメータ設定を行うことにより映像設定の最適化を実行する（Ｓ９）。最適化処理の終了後、液晶表示部２１０に撮像装置１０から入力した映像を表示させる（Ｓ１０）。
【００２８】
一方、Ｓ３においてサーバ４０から取得機器情報を入手できない場合は処理終了となる（Ｓ３：Ｎｏ）。
【００２９】
また、Ｓ７でサーバ４０から付帯情報を入手できず（Ｓ７：Ｎｏ）、ユーザが付帯情報を手入力するには（Ｓ１１：Ｙｅｓ）、リモートコントローラを操作して入力すべき付帯情報の入力を行う。一方、ユーザが付帯情報を手入力しないと判断した場合は（Ｓ１１：Ｎｏ）、付帯情報を含まない内容でＳ９に移行する。
【００３０】
（本発明の実施の形態の効果）
上記した実施の形態によると、これまでホームビデオカメラ等の撮像装置で撮影した映像をＴＶ装置等の画像表示装置に表示する場合は、画像表示装置に接続された撮像装置を動作させることにより再生される撮影データをそのまま表示しているので、カラーバランスや画質が適切化されておらず、その結果、画像表示装置で適切な画像が表示されない状況が生じていたが、撮像装置と画像表示装置との特性や撮影状態を考慮し、接続機器に応じたダイナミックレンジやコントラスト比等の映像設定についての情報をサーバ４０から入手して最適化を施す画質最適化処理部２００を有することで、高画質化された映像を視聴することができる。
【００３１】
上記した実施の形態では、画像表示装置に接続された撮像装置を動作させて録画された映像を再生する場合について説明したが、例えば、録画によらずに撮像装置で撮影した実画像を画像表示装置に伝送して表示させる場合についても有効である。
【００３２】
なお、本発明は、上記した実施の形態に限定されず、本発明の技術思想を逸脱あるいは変更しない範囲内で種々な組み合わせ、変形が可能である。
【図面の簡単な説明】
【００３３】
【図１】本発明の発明の実施の形態に係る画像表示システムの概略構成図である。
【図２】本実施の形態に係る画像表示装置のブロック図である。
【図３】画質最適化処理部に格納された情報を示す説明図である。
【図４】本実施の形態に係る画像表示システムの動作を示すフローチャートである。
【符号の説明】
【００３４】
２…接続ケーブル、１０…撮像装置、２０…画像表示装置、３０…ネットワーク、４０…サーバ、２００…画質最適化処理部、２０１…接続機器認識部、２０２…情報取得部、２０３…付帯情報取得部、２０４…付帯情報入力部、２１０…液晶表示部、２１１…表示制御部、２１２…画像信号入力部、２１３…メモリ、２１４…チューナ、２１４Ａ…アンテナ、２１５…制御部、２１７…画像信号処理部、２１８…画像信号出力部、２１９…音声信号処理部、２２０…音声信号出力部、２２１…受光部、２２２…ネットワークインターフェース部、２２３…内部バス
【図１】
2007178831.tif 000003
【図２】
2007178831.tif 000004
【図３】
2007178831.tif 000005
【図４】
2007178831.tif 000006